(57)【要約】【課題】収容ケースの内部に侵入した水を、収容ケースの外部に排出することの可能な電池パックを提供する。【解決手段】電池セル１６を収容し、かつ、電気機器本体に取り付け及び取り外しが可能な収容ケース１８を備えた電池パック１２であって、収容ケース１８は、底部２３ｂと、底部２３ｂに連続して設けられた前壁２３ｃと、前壁２３ｃを貫通する通気口３２とを有しており、通気口３２の内周面の一部が、底部２３ｂの内面に連続して設けられていることを特徴とする。【選択図】図４
2014072020.tif 000002
【特許請求の範囲】
【請求項１】
電池セルを収容し、かつ、電気機器本体に取り付け及び取り外しが可能な収容ケースを備えた電池パックであって、
前記収容ケースは、底部と、前記底部に連続して設けられた第１壁部と、前記第１壁部を貫通する第１貫通孔と、を有しており、
前記第１貫通孔の内周面の一部が、前記底部の内面と隣接して位置していることを特徴とする電池パック。
【請求項２】
前記第１貫通孔は、前記底部と前記第１壁部との境界部に位置していることを特徴とする請求項１に記載の電池パック。
【請求項３】
前記第１壁部を貫通するとともに、前記底部から前記第１貫通孔よりも離れた位置に第２貫通孔を設けたことを特徴とする請求項１または２に記載の電池パック。
【請求項４】
前記収容ケースは、前記底部及び前記第１壁部と連続して設けられた第２壁部と、前記第２壁部を貫通する第３貫通孔と、を有することを特徴とする請求項１〜３のいずれかに記載の電池パック。
【請求項５】
前記第３貫通孔の内周面の一部が、前記底部の内面と隣接して位置していることを特徴とする請求項４に記載の電池パック。
【請求項６】
前記第３貫通孔の開口面積は、前記第１貫通孔の開口面積よりも狭いことを特徴とする請求項４または５に記載の電池パック。
【請求項７】
電池セルを収容し、かつ、電気機器本体に取り付け及び取り外しが可能な収容ケースを備えた電池パックであって、
前記収容ケースは、底部と、前記底部に連続して設けられ前記電池セルの端部に対向する第３壁部と、前記第３壁部を貫通する第４貫通孔と、を有することを特徴とする電池パック。
【請求項８】
前記第４貫通孔の内周面の一部が、前記底部の内面と隣接して位置していることを特徴とする請求項７に記載の電池パック。
【請求項９】
前記第４貫通孔の内周面の一部が、前記底部の内面と略同一平面に位置していることを特徴とする請求項７に記載の電池パック。
【請求項１０】
前記収容ケースは、前記底部及び前記第３壁部と連続して設けられた第４壁部と、前記第４壁部を貫通する第５貫通孔と、を有し、
前記第５貫通孔の内周面の一部が、前記底部の内面と隣接して位置していることを特徴とする請求項７〜９のいずれかに記載の電池パック。
【請求項１１】
前記第４壁部を貫通するとともに、前記底部から前記第５貫通孔よりも離れた位置に第６貫通孔を設けたことを特徴とする請求項１０に記載の電池パック。
【請求項１２】
電池セルを収容し、かつ、電気機器本体に取り付け及び取り外しが可能な収容ケースを備えた電池パックであって、
前記収容ケースは、前記収容ケースが置かれる物体に接触する底部と、前記底部に連続して設けられた第５壁部とを有しており、
前記収容ケースの内部の水を前記収容ケースの外部に排出する第１排水口が前記第５壁部に設けられており、
前記第１排水口の内周面の一部が、前記底部の内面と同一平面上に位置していることを特徴とする電池パック。
【請求項１３】
前記収容ケースには、前記収容ケースの外部の空気が前記収容ケースの内部に進入するときに通過する通気口が設けられており、
前記通気口を通り前記収容ケースの内部に進入した空気が、前記第１排水口を通り前記収容ケースの外部に排出されることを特徴とする請求項１２に記載の電池パック。
【請求項１４】
前記底部に連続する第６壁部が設けられており、
前記第６壁部には、前記収容ケースの内部の水を前記収容ケースの外部に排出する第２排水口が設けられており、
前記第２排水口の内周面の一部が、前記底部の内面と同一平面上に位置していることを特徴とする請求項１２または１３に記載の電池パック。
【請求項１５】
前記第２排水口の開口面積は、前記第１排水口の開口面積よりも狭いことを特徴とする請求項１４に記載の電池パック。
【請求項１６】
前記収容ケースは、前記電池セルを収容し、かつ、開口部を有するケース本体と、前記ケース本体の開口部を塞ぐカバーとを備えており、
前記底部及び前記第５壁部は、前記ケース本体の一部を構成しており、
前記カバーに、前記収容ケースの内部の水を前記収容ケースの外部に排出する第２排水口が設けられていることを特徴とする請求項１２または１３に記載の電池パック。
【請求項１７】
収容ケースに電池セルを収容した電池パックと、前記電池パックを取り付け及び取り外し可能な電気機器本体とを有する電気機器であって、
前記電池パックは、請求項１〜１６のいずれかに記載された構成を有することを特徴とする電気機器。
【発明の詳細な説明】
【技術分野】
【０００１】
本発明は、電気機器本体に取り付け及び取り外しが可能な電池パック、及び電気機器本体と電池パックとを有する電気機器に関する。
【背景技術】
【０００２】
従来、電気機器に取り付け及び取り外し可能に構成された電池パックが知られており、その電池パックの一例が特許文献１に記載されている。特許文献１に記載された電池パックは、収容ケースと、収容ケースの内部に収容された電池パックとを有している。収容ケースは、上ケース及び下ケースを備えている。また、上ケースには吸気穴が設けられており、下ケースには排気穴が設けられている。特許文献１には、電池パックに充電する充電器が記載されている。充電器は、本体部と、本体部の内部に設けた冷却ファンとを有する。
【０００３】
特許文献１に記載された電池パックを充電器の本体部に載せて、電池パックの電池セルに充電するときに、冷却ファンにより形成された空気の流れは、吸気穴を通り収容ケースの内部に入る。収容ケースの内部に入った空気は、電池セルの熱を奪い、排気穴から収容ケースの外部に排出される。この特許文献１に記載された電池パックによれば、電池セルを冷却することで、電池セルの内部の部材が劣化することを抑制できるとされている。
【先行技術文献】
【特許文献】
【０００４】
【特許文献１】特開２００９−２８９６９４号公報
【発明の概要】
【発明が解決しようとする課題】
【０００５】
ところで、電池パックを工事現場、屋外等のように、水に濡れる環境で使用すると、吸気穴や排気穴等から収容ケースの内部に水が侵入することがある。
【０００６】
しかしながら、特許文献１に記載された電池パックにおいては、電池パックの収容ケースの内部に侵入した水を、収容ケースの外部に排出することについては記載がなく、収容ケースの内部に水が残留する可能性があった。
【０００７】
本発明の目的は、収容ケースの内部に侵入した水を、収容ケースの外部に排出することの可能な電池パック及び電気機器を提供することにある。
【課題を解決するための手段】
【０００８】
本発明の電池パックは、電池セルを収容し、かつ、電気機器本体に取り付け及び取り外しが可能な収容ケースを備えた電池パックであって、前記収容ケースは、底部と、前記底部に連続して設けられた第１壁部と、前記第１壁部を貫通する第１貫通孔と、を有しており、前記第１貫通孔の内周面の一部が、前記底部の内面と隣接して位置していることを特徴とする。
【０００９】
本発明の一態様は、前記第１貫通孔が、前記底部と前記第１壁部との境界部に位置していることを特徴とする。
【００１０】
本発明の他の態様は、前記第１壁部を貫通するとともに、前記底部から前記第１貫通孔よりも離れた位置に第２貫通孔を設けたことを特徴とする。
【００１１】
本発明の他の態様は、前記収容ケースが、前記底部及び前記第１壁部と連続して設けられた第２壁部と、前記第２壁部を貫通する第３貫通孔と、を有することを特徴とする。
【００１２】
本発明の他の態様は、前記第３貫通孔の内周面の一部が、前記底部の内面と隣接して位置していることを特徴とする。
【００１３】
本発明の他の態様は、前記第３貫通孔の開口面積が、前記第１貫通孔の開口面積よりも狭いことを特徴とする。
【００１４】
本発明の電池パックは、電池セルを収容し、かつ、電気機器本体に取り付け及び取り外しが可能な収容ケースを備えた電池パックであって、前記収容ケースは、底部と、前記底部に連続して設けられ前記電池セルの端部に対向する第３壁部と、前記第３壁部を貫通する第４貫通孔と、を有することを特徴とする。
【００１５】
本発明の一態様は、前記第４貫通孔の内周面の一部が、前記底部の内面と隣接して位置していることを特徴とする。
【００１６】
本発明の他の態様は、前記第４貫通孔の内周面の一部が、前記底部の内面と略同一平面に位置していることを特徴とする。
【００１７】
本発明の他の態様は、前記収容ケースが、前記底部及び前記第３壁部と連続して設けられた第４壁部と、前記第４壁部を貫通する第５貫通孔と、を有し、前記第５貫通孔の内周面の一部が、前記底部の内面と隣接して位置していることを特徴とする。
【００１８】
本発明の他の態様は、前記第４壁部を貫通するとともに、前記底部から前記第５貫通孔よりも離れた位置に第６貫通孔を設けたことを特徴とする。
【００１９】
本発明の電池パックは、電池セルを収容し、かつ、電気機器本体に取り付け及び取り外しが可能な収容ケースを備えた電池パックであって、前記収容ケースは、前記収容ケースが置かれる物体に接触する底部と、前記底部に連続して設けられた第５壁部とを有しており、前記収容ケースの内部の水を前記収容ケースの外部に排出する第１排水口が前記第５壁部に設けられており、前記第１排水口の内周面の一部が、前記底部の内面と同一平面上に位置していることを特徴とする。
【００２０】
本発明の一態様は、前記収容ケースには、前記収容ケースの外部の空気が前記収容ケースの内部に進入するときに通過する通気口が設けられており、前記通気口を通り前記収容ケースの内部に進入した空気が、前記第１排水口を通り前記収容ケースの外部に排出されることを特徴とする。
【００２１】
本発明の他の態様は、前記底部に連続する第６壁部が設けられており、前記第６壁部には、前記収容ケースの内部の水を前記収容ケースの外部に排出する第２排水口が設けられており、前記第２排水口の内周面の一部が、前記底部の内面と同一平面上に位置していることを特徴とする。
【００２２】
本発明の他の態様は、前記第２排水口の開口面積が、前記第１排水口の開口面積よりも狭いことを特徴とする。
【００２３】
本発明の他の態様は、前記収容ケースが、前記電池セルを収容し、かつ、開口部を有するケース本体と、前記ケース本体の開口部を塞ぐカバーとを備えており、前記底部及び前記第５壁部は、前記ケース本体の一部を構成しており、前記カバーに、前記収容ケースの内部の水を前記収容ケースの外部に排出する第２排水口が設けられていることを特徴とする。
【００２４】
本発明の電気機器は、収容ケースに電池セルを収容した電池パックと、前記電池パックを取り付け及び取り外し可能な電気機器本体とを有する電気機器であって、前記電池パックは、前述したいずれかの電池パックに記載された構成を有することを特徴とする。
【発明の効果】
【００２５】
本発明の電池パックによれば、収容ケースの内部に存在する水が、底部の内面に沿って流れて第１貫通孔から収容ケースの外部に排出される。したがって、収容ケースの内部に水が残留することを防止できる。
【００２６】
本発明の一態様によれば、収容ケースの内部に存在する水は、底部と第１壁部との境界部に向かって流れ、第１貫通孔を通り収容ケースの外部に排出される。
【００２７】
本発明の他の態様によれば、収容ケースの内部に存在する水を、第２貫通孔から収容ケースの外部に排出することもできる。
【００２８】
本発明の他の態様によれば、収容ケースの内部に存在する水が、第３貫通孔を通り収容ケースの外部に排出される。
【００２９】
本発明の他の態様によれば、収容ケースの内部に存在する水が、底部の内面に沿って流れ、第３貫通孔を通り収容ケースの外部に排出される。
【００３０】
本発明の他の態様によれば、収容ケースの内部に進入した空気を、第１貫通孔を経由して収容ケースの外部に排出するにあたり、その空気の流通抵抗をなるべく小さくすることができる。したがって、収容ケースの内部に空気を進入させて電池セルを冷却する際に、その冷却性能が低下することを抑制できる。
【００３１】
本発明の電池パックによれば、収容ケースの内部に存在する水が、底部の内面に沿って流れて第４貫通孔から収容ケースの外部に排出される。したがって、収容ケースの内部に水が残留することを防止できる。
【００３２】
本発明の一態様によれば、収容ケースの内部に存在する水は、底部の内面から滑らかに第４貫通孔に進入し、収容ケースの外部に排出される。
【００３３】
本発明の一態様によれば、収容ケースの内部に存在する水は、底部の内面に沿って第４貫通孔に進入し、収容ケースの外部に排出される。
【００３４】
本発明の他の態様によれば、収容ケースの内部に存在する水を、第５貫通孔から収容ケースの外部に排出することもできる。
【００３５】
本発明の他の態様によれば、収容ケースの内部に存在する水が、第３貫通孔を通り収容ケースの外部に排出される。
【００３６】
本発明の他の態様によれば、収容ケースの内部に存在する水が、底部の内面に沿って流れ、第６貫通孔を通り収容ケースの外部に排出される。
【００３７】
本発明の電池パックによれば、収容ケースが物体に載せられると、第１排水口の内面の一部が、底部の内面と同一平面上に位置することとなる。このため、収容ケースの内部に存在する水が、底部の内面に沿って移動し、第１排水口を通過して外部に排出される。したがって、収容ケースの内部に水が残留することを防止できる。
【００３８】
本発明の一態様によれば、収容ケースの外部の空気が通気口を通り収容ケースの内部に進入するとともに、収容ケースの内部に進入した空気は、第１排水口を通り収容ケースの外部に排出される。つまり、第１排水口を空気の排出口として共用することができる。
【００３９】
本発明の他の態様によれば、収容ケースの内部の水を、第１排出口だけでなく、第２排水口からも外部に排出することができる。
【００４０】
本発明の他の態様によれば、収容ケースの内部に進入した空気を、第１排水口を経由して収容ケースの外部に排出するにあたり、その空気の流通抵抗をなるべく小さくすることができる。したがって、収容ケースの内部に空気を進入させて電池セルを冷却する際に、その冷却性能が低下することを抑制できる。
【００４１】
本発明の他の態様によれば、カバーがケース本体よりも低い位置となるように電池パックが支持されたとき、収容ケースの内部の水を収容ケースの外部に排出することができる。
【００４２】
本発明の電気機器によれば、電気機器本体に電池パックを取り付けた状態で、収容ケースが物体に載せられると、第１排水口の内面の一部が、底部の内面と同一平面上に位置することとなる。このため、収容ケースの内部に存在する水が、底部の内面に沿って移動し、第１排水口を通過して外部に排出される。したがって、収容ケースの内部に水が残留することを防止できる。
【図面の簡単な説明】
【００４３】
【図１】本発明の電気機器の一例である電動工具を示す斜視図である。
【図２】本発明の電池パックの一例を示す斜視図である。
【図３】図２に示す電池パックの分解斜視図である。
【図４】図３に示す電池パックの断面図である。
【図５】図２〜図４に示す電池パックのケース本体を示す断面図である。
【図６】本発明の電池パックを充電器に載せた状態の概念図である。
【図７】本発明の電池パックの他の例を示す斜視図である。
【発明を実施するための形態】
【００４４】
本発明の電気機器及び電池パックの実施形態について、図面を用いて詳細に説明する。図１は、電気機器の一例である電動工具１０の概略構成を示す。電動工具１０は、工具本体１１及び電池パック１２を有している。電池パック１２は、工具本体１１に取り付け及び取り外し可能である。工具本体１１は、ケーシング１１ａとグリップ部１１ｂと装着部１１ｃとを備えている。ケーシング１１ａの内部には電動モータ１３が収容されている。電動モータ１３は、電力が供給される電磁コイル（図示せず）を有する。なお、ケーシング１１ａの内部には、電動モータ１３の動力で駆動するファン（図示せず）が設けられている。電動工具１０は、電動モータ１３に電力を供給するコードが接続されていないコードレスタイプの工具である。
【００４５】
また、ケーシング１１ａは、先端工具１４を取り付け及び取り外しができるようになっている。先端工具１４は、電動モータ１３から動力が伝達されると、軸線Ａを中心として回転運動または往復運動する。すなわち、電動工具１０は、インパクトドライバ、ドリル、ドライバ、ハンマ、ハンマドリル、ハンマドライバを含む。
【００４６】
グリップ部１１ｂの一端にケーシング１１ａが接続され、グリップ部１１ｂの他端に装着部１１ｃが設けられている。グリップ部１１ｂ内には、電動モータ１３を制御する制御基板（図示せず）が設けられている。装着部１１ｃには凹部１１ｄが形成されており、凹部１１ｄには複数、具体的には３個の工具側端子１５が設けられている。３個の工具側端子１５は、正極端子、負極端子、信号用端子を含む。正極端子及び負極端子は、電動モータ１３の電磁コイルに制御素子を介して接続されている。信号用端子は、電動モータ１３を制御する回路基板に接続されている。電池パック１２は、装着部１１ｃに対して取り付け及び取り外し（着脱）することができる。
【００４７】
電池パック１２の構成を、図２〜図４に基づいて説明する。電池パック１２は、複数の電池セル１６及びホルダ１７及び収容ケース１８を有する。電池セル１６は、充電及び放電を繰り返し行うことのできる二次電池である。電池セル１６は、リチウムイオン電池セル、ニッケル水素電池セル、リチウムイオンポリマー電池セル、ニッケルカドミウム電池セル等を含む。電池セル１６は円柱形状であり、電池セル１６の長さ方向の両端部には２つの電極（図示せず）が設けられている。２つの電極のうち、一方は正極であり他方は負極である。
【００４８】
ホルダ１７は、複数の電池セル１６を相互に平行に保持するものであり、ホルダ１７は、複数の電池セル１６を覆うインシュレータとしての役割を備えている。本明細書では、複数の電池セル１６を電池セル１６群と記載することがある。ホルダ１７は筒形状を有しており、その内部に電池セル１６群が収容されている。ホルダ１７は、両端に開口部を有する構造、または一端に開口部を有する構造の何れでもよい。
【００４９】
本実施形態のホルダ１７は、４本の電池セル１６を平行に並べて１列とし、２列で８本の電池セル１６を収容している。そして、４本の電池セル１６を１組として、２組の電池セル１６が、それぞれ個別に直列に接続されている。直列に接続された４本で１組の電池セル１６のうち、一端に位置する電池セル１６の正極に第１の接続部材（図示せず）が接続されている。一方、直列に接続された４本で１組の電池セル１６のうち、他端に位置する電池セル１６の負極に第２の接続部材（図示せず）が接続されている。
【００５０】
本実施形態において、電極同士を電気的に接続する接続部材は、導電性を有する金属材料により構成されている。この金属材料は、銅、アルミニウム等の他、圧延鋼板の表面にニッケルメッキが施された材料を含む。また、接続部材は、プレート形状であることが好ましい。そして、各接続部材における電極に接触している部分とは反対側の表面が、絶縁部材１９により覆われている。絶縁部材１９を構成する材料には、樹脂フィルムを基材とする絶縁テープまたは絶縁シート、ゴム状弾性体、表面に樹脂材料からなる絶縁層を形成した金属板等が含まれる。なお、ホルダ１７の開口部、または絶縁部材１９とホルダ１７の開口縁との隙間を、防水性を有するシート部材、シリコン、粘土等により覆うことも可能である。
【００５１】
さらに、ホルダ１７の胴部の外側には回路基板２０が取り付けられている。回路基板２０は、非導電性の樹脂材料で平板形状に構成されている。回路基板２０には、複数の電池側端子２１が取り付けられている。複数の電池側端子２１は導電性の金属材料により構成されている。複数の電池側端子２１は、充電用正極端子、放電用正極端子、充電・放電用負極端子、４個の信号用端子を含む。前記した第１の接続部材は、第１のリード線（図示せず）を介して充電用正極端子及び放電用正極端子にそれぞれ接続されている。また、第２の接続部材は、第２のリード線（図示せず）を介して充電・放電用負極端子に接続されている。
【００５２】
収容ケース１８は、複数の電池セル１６を保持したホルダ１７を収容する要素である。収容ケース１８は、ケース本体２３と、ケース本体２３の開口部２３ａを塞ぐカバー２４とを有する。ホルダ１７及びケース本体２３及びカバー２４は、共に非導電性の材料により、それぞれ別々に構成されている。非導電性の材料は、樹脂材料を含む。前記ケース本体２３は、底部２３ｂと、底部２３ｂの外周縁に連続して形成された前壁２３ｃと、後壁２３ｄと、２枚の側壁２３ｅとを有する。ケース本体２３を平面視すると、底部２３ｂは概ね四角形である。前壁２３ｃ及び後壁２３ｄは、底部２３ｂにおける平行な２辺に接続され、かつ、底部２３ｂに対して略直角となるように延ばされている。つまり、前壁２３ｃと後壁２３ｄとは略平行である。また、２枚の側壁２３ｅは底部２３ｂにおける平行な２辺に接続され、かつ、底部２３ｂに対して略直角となるように延ばされている。２枚の側壁２３ｅは相互に略平行である。２枚の側壁２３ｅは、電池セル１６の長さ方向の端部と対向して設けられている。なお、底部２３ｂのうち、前壁２３ｃ及び後壁２３ｄが接続された２辺と、２枚の側壁２３ｅが接続された２辺とは異なる。
【００５３】
さらに、前壁２３ｃには、収容ケース１８の内部と外部とを連通する複数の通気口３１，３２が設けられている。すなわち、複数の通気口３１，３２は、前壁２３ｃを厚さ方向に貫通して設けられている。複数の通気口３１，３２は、電池パック１２の高さ方向に沿って配置されている。ここで、高さ方向とは、工具本体１１の軸線Ａをほぼ水平とし、電池パック１２を工具本体１１に取り付けた状態において、収容ケース１８の上下方向を意味する。複数の通気口３１，３２は、収容ケース１８の内部の空気を外部に排出する通路である。複数の通気口３１，３２は、２列設けられている。各列毎に、高さ方向で上側に３個の通気口３１が設けられており、高さ方向で最も低い位置に１個の通気口３２が設けられている。つまり、収容ケース１８の高さ方向で、通気口３１の方が通気口３１よりも底部２３ｂから離れた位置に設けられている。前壁２３ｃを正面視すると、通気口３１，３２は四角形、楕円形、円形等、何れの形状でもよい。通気口３２の内周面の一部は、底部２３ｂの内面と隣接して設けられている。つまり、通気口３２の内周面の一部は、底部２３ｂの内面と連続して設けられている。すなわち、通気口３２の内周面の一部は、底部２３ｂの内面と略同一平面上に位置している。本実施形態において、通気口３２の内周面の一部とは、ケース本体２３の高さ方向における最も低い部分である。
【００５４】
さらに、図４及び図５のように、底部２３ｂと側壁２３ｅとの境界部分（接続部分）には、排水口３３が設けられている。すなわち、排水口３３は電池セル１６の端部と対向する側壁２３ｅに設けられるとともに、排水口３３の内周面の一部は、底部２３ｂの内面と隣接している。つまり、排水口３３の内周面の一部と底部２３の内面とが連続して設けられている。すなわち、排水口３３の内周面の一部と底部２３の内面とが、略同一平面上に位置している。排水口３３はケース本体２３を厚さ方向に貫通しており、排水口３３により収容ケース１８の内部と外部とが接続されている。上記の排水口３３は、収容ケース１８の内部の異物、例えば水を、収容ケース１８の外部に排出するための構造である。排水口３３の開口面積は、通気口３２の開口面積よりも狭い。また、側壁２３ｅを側面視すると、排水口３３の形状は、四角形、楕円形、円形等、何れの形状でもよい。なお、排水口３３は２枚の側壁２３ｅと底部２３ｂとのそれぞれの境界部分に設けられていてもよい。
【００５５】
一方、カバー２４は基部３４を有しており、基部３４上にはプレート部２５及びマウント部２６が設けられている。プレート部２５は、カバー２４がケース本体２３に取り付けられた状態で、底部２３ｂと略平行になる平板形状を有する。また、マウント部２６は、カバー２４がケース本体２３に取り付けられた状態でプレート部２５から上方に突出されている。マウント部２６の両側には、電池パック１２を工具本体１１に取り付けるときに用いられるガイドレール２７が、それぞれ設けられている。２つのガイドレール２７は相互に平行に配置されている。マウント部２６における２つのガイドレール２７の間には、複数の端子挿入孔２８が設けられている。複数の端子挿入孔２８は、収容ケース１８の内部から外部に向けてスリット状に貫通している。また、複数の端子挿入孔２８は、ガイドレール２７と平行に配置されている。さらに、複数の端子挿入孔２８は、一方のガイドレール２７と他方のガイドレール２７との間に１列に配置されている。また、ケース本体２３にカバー２４を取り付けた状態で、収容ケース１８を平面視すると、複数の電池側端子２１の真上に複数の端子挿入孔２８が配置されている。
【００５６】
また、マウント部２６とプレート部２５との境界部分に窓２９が設けられている。窓２９は、カバー２４を平面視したときに、２つのガイドレール２７に対して略直角な方向に直線状に延ばされている。窓２９は複数の端子挿入孔２８につながっている。さらに、カバー２４がケース本体２３に取り付けられた状態で、複数の電池側端子２１は複数の端子挿入孔２８に挿入されている。さらにまた、カバー２４には、収容ケース１８の内部と外部とを連通する複数個の通気口３０が設けられている。複数個の通気口３０は、複数の端子挿入孔２８を隔ててプレート部２５の反対側に設けられている。さらに、基部３４の外周にはスカート部３５が設けられている。スカート部３５は、基部３４から略直角に延ばされている。カバー２４がケース本体２３に取り付けられた状態で、スカート部３５の縁部が前壁２３ｃの縁部及び側壁２３ｅの縁部に接触する。
【００５７】
さらに、カバー２４には操作ボタン５０が取り付けられている。操作ボタン５０は、支持軸５１を支点として回転可能であり、操作ボタン５０にはラッチ５２が設けられている。また、カバー２４には孔５３が設けられており、カバー２４がケース本体２３に取り付けられると、ラッチ５２の一部が孔５３からカバー２４の外部に露出する。装着部１１ｃには爪（図示せず）が設けられており、ラッチ５２が爪に係合するようになっている。
【００５８】
次に、電池パック１２に充電する充電器の概略構成を、図６に基づいて説明する。充電器４０は本体部４１を有しており、本体部４１の内部には冷却ファン４２が設けられている。また、本体部４１には冷却ファン４２により形成された風が通る通気口４３が設けられている。さらに、本体部４１には電池パック１２を支持する台４４が設けられており、台４４は水平線（図示せず）に対して傾斜して設けられている。また、台４４には複数の端子４５が設けられており、電池パック１２を台４４に載せると、複数の端子４５は、複数個の電池側端子２１に接続される。
【００５９】
次に、電池パック１２を工具本体１１の装着部１１ｃに取り付ける作業を説明する。図１のように、電池パック１２と工具本体１１とを近づけるとともに、ガイドレール２７に沿って電池パック１２を移動させて、工具本体１１の装着部１１ｃに電池パック１２を取り付ける。電池パック１２を装着部１１ｃに取り付ける途中で、工具側端子１５がカバー２４の端子挿入孔２８に差し込まれ、工具側端子１５と電池側端子２１とが接続される。
そして、ラッチ５２が装着部１１ｃの爪に係合すると、電池パック１２を装着部１１ｃに取り付ける作業が完了する。
【００６０】
電動工具１０の電動モータ１３が回転すると、その電動モータ１３の動力が先端工具１４に伝達される。また、電動モータ１３の動力の一部はケーシング１１ａ内で電動モータ１３の回転軸に取り付けられたファンに伝達され、ファンが回転して電動モータ１３を冷却する空気の流れが形成される。空気はケーシング１１ａに形成された図示しない吸気口からケーシング１１ａ内に取り込まれ、電動モータ１３等を冷却する。電動モータ１３等を冷却した空気は、ケーシング１１ａに形成された図示しない排気口から、ケーシング１１ａの外部に排出される。電動モータ１３がブラシレスモータの場合、ブラシレスモータを駆動するインバータ回路をケーシング１１ａに設ければインバータ回路を冷却することができる。特にインバータ回路にはモータを制御する制御素子であるスイッチング素子（例えばＦＥＴ）が設けられているため、スイッチング素子を効率良く冷却することができる。
【００６１】
また、電動モータ１３を冷却する空気の一部を、グリップ部１１ｂの内部、装着部１１ｃの内部、通気口３０を経由して収容ケース１８の内部に送るように構成してもよい。つまり、通気口３０は、空気の流入口として機能する。収容ケース１８の内部に送られた空気は、ホルダ１７とカバー２４の内面との間、またはホルダ１７とケース本体２３の内面との間を通り、複数の通気口３１，３２から収容ケース１８の外部に排出される。具体的に説明すると、収容ケース１８の内部に進入した空気は、ホルダ１７と後壁２３ｄの内面との間、ホルダ１７と底部２３ｂの内面との間を通り、複数の通気口３１，３２から排出される。また、収容ケース１８の内部に進入した空気の一部は、ホルダ１７と前壁２３ｃの内面との間を通り、複数の通気口３１，３２から排出される。このように、ケース本体２３の複数の通気口３１，３２は、空気の流出口として機能する。この構成によれば、グリップ部１１ｂの内部にモータの制御基板を配置した場合には制御基板を冷却することができる。制御基板に発熱部品（例えばスイッチング素子）がある場合には特に有効である。
【００６２】
上記のように、空気が収容ケース１８の内部を通過する間に、空気と電池セル１６との間で熱交換が行われ、温度が上昇した空気が収容ケース１８の外部に排出される。したがって、電池パック１２が工具本体１１に取り付けられている状態で、電池セル１６を冷却することができる。なお、工具本体１１に電池パック１２が取り付けられている状態で、操作ボタン５０を押すと、ラッチ５２が装着部１１ｃの爪から外れる。次いで、電池パック１２と工具本体１１とを前記とは逆方向に相対移動すると、電池パック１２を工具本体１１から取り外すことができる。
【００６３】
一方、工具本体１１から取り外した電池パック１２を、図６のように充電器４０の台４４に載せて、電池セル１６に充電することができる。電池パック１２を台４４に載せると通気口４３と対向した位置に電池パック１２の収容ケース１８の通気口３０が位置することになる。ここで、充電器４０の冷却ファン４２が回転すると、冷却ファン４２により形成された風は、通気口４３、通気口３０を経由して収容ケース１８の内部に進入する。収容ケース１８の内部に進入した空気は、ホルダ１７とカバー２４の内面との間、またはホルダ１７とケース本体２３の内面との間を通り、複数の通気口３１，３２から収容ケース１８の外部に排出される。したがって、電池パック１２は、電池セル１６へ充電する時に、収容ケース１８の内部が冷却される。特に、後壁２３ｄとホルダ１７との間に進入した空気は、底部２３ｂの内面に沿って流れ、次いで、複数個の通気口３１，３２を通過する。
【００６４】
本実施形態では、底部２３ｂの内面に沿って流れる空気の流れ方向の前方に、複数の通気口３１，３２が設けられている。また、排水口３３は空気の流れ方向の側方に設けられ、その開口面積は、通気口３２の開口面積よりも狭い。このため、複数の通気口３１，３２を通過する空気の流通抵抗をなるべく少なくすることができる。つまり、電池パック１２では、収容ケース１８の内部の空気を、収容ケース１８の外部に向けて直線状に排出する作用が円滑に行われる。したがって、電池セル１６の冷却性能が低下することを抑制できる。
【００６５】
ところで、電池パック１２は、工具本体１１に取り付けた状態、または工具本体１１から取り外した状態、あるいは充電器４０に取り付けた状態のいずれにおいても、収容ケース１８の外部の異物が、ケース本体２３とカバー２４との隙間、通気口３０，３１，３２、カバー２４とラッチ５２との隙間、操作ボタン５０とカバー２４との隙間のうち、少なくとも１箇所から、収容ケース１８の内部に侵入する可能性がある。異物には、水、塵埃、泥等が含まれる。電動工具１０はコードレスタイプであるため、電動工具１０は、場所を選ばず使用可能である。つまり、電動工具１０は、建築物の解体作業現場などのように、粉塵まみれの環境、雨天時等、劣悪な環境で使用されることが多い。
【００６６】
一方、電池パック１２が、ホルダ１７の開口部、または絶縁部材１９とホルダ１７の開口縁との隙間を、防水性を有するシート部材、シリコン、粘土等により覆う防水構造となっていれば、収容ケース１８の内部に水が侵入しても、電池セル１６同士の短絡、電極の腐食等を防止することができる。
【００６７】
さらに、本実施形態の電池パック１２は、ケース本体２３に複数の通気口３１，３２が設けられており、通気口３２の内周面の一部は底部２３ｂの内面と同一平面上に配置されている。ここで、電池パック１２が工具本体１１から取り外されるか、または工具本体１１に電池パック１２が取り付けられたまま、図４のように電池パック１２を物体６０に載せることを想定する。物体６０は、テーブル、作業台、道路等の固体である。すると、ケース本体２３の底部２３ｂが物体６０に接触し、底部２３ｂの内面は略水平になる。このため、収容ケース１８の内部に存在している水は、底部２３ｂの内面に沿って流れ、通気口３２を経由して外部に排出される。したがって、収容ケース１８の内部に水が残留することを防止できる。さらには、電池セル１６同士の短絡、電池セル１６の腐食等を防止できる。さらに、本実施形態の電池パック１２は、複数の通気口３１，３２が前壁２３ｃに設けられているため、電池パック１２を物体６０上に載せたときに、複数の通気口３１，３２が物体６０により塞がれることがなく、排水性能の低下を防止できる。
【００６８】
さらに、複数の通気口３１，３２のうち通気口３２が、収容ケース１８の内部の空気を外部に排出する通路としての役割と、収容ケース１８の内部の水を収容ケース１８の外部に排出する排水口としての役割とを兼ねている。また、電池パック１２を物体６０に載せた状態で、２枚の側壁２３ｅのうち、電池パック１２は、一方の側壁２３ｅが他方の側壁２３ｅよりも低くなる向きで傾斜するか、または、底部２３ｂの略中央部分を支点として、２つの側壁２３ｅが交互に低くなるように傾斜する可能性もある。電池パック１２がこのように傾斜すると、収容ケース１８の内部に存在している水の一部は、底部２３ｂの内面に沿って移動して排水口３３を通り収容ケース１８の外部に排出することができる。なお、排水口３３の内周面の一部、通気口３２の内周面の一部は、底部２３ｂの内面と同一平面上に配置されているが、その他の部分は、底部２３ｂの内面よりも下方に配置されていてもよい。すなわち、排水口３３は側壁２３ｅに設けられ、通気口３２は前壁２３ｄｃに設けられていればよい。そして、排水口３３、通気口３２は、底部２３ｂの内面に隣接して（連続して）設けられていれば、収容ケース１８の内部の水を効率よく、収容ケース１８の外部に排水することができる。
【００６９】
つぎに、本実施形態の電池パック１２の他の実施例を、図７に基づいて説明する。カバー２４のスカート部３５を厚さ方向に貫通する排水口３６が設けられている。排水口３６は、スカート部３５における前壁２３ｃに対応する箇所に設けられている。図７に示す電池パック１２におけるその他の構成は、前述した電池パック１２の構成と同じである。図７に示す電池パック１２を、図６に示す充電器４０の台４４により支持すると、カバー２４はケース本体２３よりも低い位置となり、カバー２４が台４４に接触する。その結果、基板３４は水平線（図示せず）に対して傾斜した状態となる。
【００７０】
このため、収容ケース１８の内部に存在している水の一部は、プレート部２５及び基部３４の内面に沿って移動し、排水口３６を通って収容ケース１８の外部に排出される。このように、図７に示す電池パック１２は、カバー２４がケース本体２３よりも低い位置となるように充電器４０に載せると、収容ケース１８の内部の水を収容ケース１８の外部に排出することができる。なお、排水口３６の内周面の一部を、カバー２４の内面、具体的には、プレート部２５の内面、あるいは基部３４の内面と略同一平面上に配置することもできる。このように構成すれば、収容ケース１８の内部に存在している水は、カバー２４の内面に沿って流れ、そのまま排水口３６から外部に排水し易くなる。さらに、図７の電池パック１２において、前述した電池パック１２と同じ構成部分については、前述した電池パック１２と同じ効果を得ることができる。
【００７１】
ここで、本実施形態において説明した構成と、本発明の構成との対応関係を説明すると、工具本体１１が、本発明の電気機器本体に相当し、前壁２３ｃが、本発明の第１壁部、第４壁部、第５壁部に相当し、側壁２３ｅが、本発明の第２壁部、第３壁部、第６壁部に相当し、通気口３１が、本発明の第２貫通孔、第６貫通孔に相当し、通気口３２が、本発明の第１貫通孔、第５貫通孔、第１排水口に相当し、通気口３０が、本発明の通気口に相当し、排水口３６が、本発明の第３排水口に相当し、排水口３３が、本発明の第３貫通孔、第４貫通孔、第２排水口に相当する。
【００７２】
本発明の電池パックは、上記実施形態に限定されるものではなく、その要旨を逸脱しない範囲で種々変更可能である。例えば、本発明の電池パックは、電池セルを８本未満収容する構造、または電池セルを９本以上収容する構造を含む。本発明の電池パックが取り付け及び取り外しされる電気機器は、前述した電動工具の他、グラインダ（研削工具）、サンダ（研磨工具）、釘打ち機、ねじ打ち機、タッカ、集塵機（クリーナ）、送風機（ファン、ブロワ）、ポンプ、高圧洗浄機、チェンソー（切断工具）、園芸工具（草刈機、植木バリカン）、耕耘機等を含む。すなわち、本発明の電気機器は、電池パックの電力で電動モータを回転させ、その回転運動を動作部材の往復運動または回転運動の少なくとも一方に変換する機器を含む。また、本発明の電気機器は、トーチライト（懐中電灯）等を含む。すなわち、本発明の電気機器は、電池パックから供給される電気エネルギを光エネルギに変換する照明機器を含む。
【符号の説明】
【００７３】
１１  工具本体
１２  電池パック
１６  電池セル
１８  収容ケース
２３ｂ  底部
２３ｃ  前壁
３２  通気口
【図１】
2014072020.tif 000003
【図２】
2014072020.tif 000004
【図３】
2014072020.tif 000005
【図４】
2014072020.tif 000006
【図５】
2014072020.tif 000007
【図６】
2014072020.tif 000008
【図７】
2014072020.tif 000009